(57)【要約】【課題】  自然に分解し、土に還元する素材で作製された使い捨ておむつを提供すること。【解決手段】  第１の天然素材によって形成される共に、糞尿を受ける部分の表面に複数の通過孔６を有するおむつ本体２と、第２の天然素材によって形成されると共に、通過孔６に接続される空間に配置される吸液手段３と、水溶性の第３の天然素材によって形成されると共に、通過孔６を閉鎖する通過孔閉鎖膜７とを有し、おむつ本体２の糞尿を受ける部分に、凹凸部８が形成されると共に、撥水加工が施される。また、吸液手段が配置される空間には、消臭剤を備える。【選択図】        図３
2008154868.tif 000002
【特許請求の範囲】
【請求項１】
第１の天然素材によって形成される共に、糞尿を受ける部分の表面に複数の通過孔を有するおむつ本体と、
第２の天然素材によって形成されると共に、前記通過孔に接続される空間に配置される吸液手段と、
を具備することを特徴とする使い捨ておむつ。
【請求項２】
水溶性の第３の天然素材によって形成されると共に、前記通過孔を閉鎖する通過孔閉鎖膜を具備することを特徴とする請求項１記載の使い捨ておむつ。
【請求項３】
前記おむつ本体の糞尿を受ける部分に、凹凸部が形成されていることを特徴とする請求項１又は２記載の使い捨ておむつ。
【請求項４】
前記おむつ本体の糞尿を受ける部分は、撥水加工が施されていることを特徴とする請求項１ないし３のいずれかに記載の使い捨ておむつ。
【請求項５】
前記空間に消臭剤を有することを特徴とする請求項１ないし４のいずれかに記載の使い捨ておむつ。
【請求項６】
前記第１の天然素材は、少なくとも綿、麻、ジュート（黄麻）、藁、ココナッツ、バナナ、パイナップル、トウモロコシ、竹、ウール、絹、カシミア、モヘヤ、キャメル、ラマ、アンゴラのいずれか１以上であることを特徴とする請求項１ないし５のいずれかに記載の使い捨ておむつ。
【請求項７】
前記第２の天然素材は、寒天、ゼラチンのいずれかであることを特徴とする請求項１ないし６のいずれかに記載の使い捨ておむつ。
【請求項８】
前記第３の天然素材は、少なくとも綿、麻、ジュート（黄麻）、藁、ココナッツ、バナナ、パイナップル、トウモロコシ、竹、ウール、絹、カシミア、モヘヤ、キャメル、ラマ、アンゴラのいずれか１以上であることを特徴とする請求項１ないし７のいずれかに記載の使い捨ておむつ。
【発明の詳細な説明】
【技術分野】
【０００１】
この発明は、自然に分解し土に帰る乳幼児用又は介護用おむつに関するものである。
【背景技術】
【０００２】
従来の使い捨ておむつは使用後、生ゴミとして焼却されるのが一般的である。
【０００３】
【特許文献１】特許出願平１０−５４１６３４
【発明の開示】
【発明が解決しようとする課題】
【０００４】
しかしながら、使い捨ておむつは水分を吸収している為、焼却には多大なエネルギーを必要とする。また、使い捨ておむつには、ポリ塩化ビニル等の塩素含有プラスチック素材等が用いられているため、地面に埋める等、焼却しないで廃棄する方法は、今日のような自然環境保護の観点から望ましくない。
【０００５】
そこで本発明は、自然に分解し、土に還元する素材で作製された使い捨ておむつを提供することを目的とする。
【課題を解決するための手段】
【０００６】
上記目的を達成するために、本発明の使い捨ておむつは、第１の天然素材によって形成される共に、糞尿を受ける部分の表面に複数の通過孔を有するおむつ本体と、第２の天然素材によって形成されると共に、前記通過孔に接続される空間に配置される吸液手段と、を具備することを特徴とする。
【０００７】
この場合、水溶性の第３の天然素材によって形成されると共に、前記通過孔を閉鎖する孔閉鎖膜を具備する方が好ましい。また、前記おむつ本体の糞尿を受ける部分に、皮膚との接触面積を小さくするための凸部が形成されている方が好ましい。また、前記おむつ本体の糞尿を受ける部分は、撥水加工が施されている方が好ましい。また、前記空間に消臭剤を有する方が好ましい。また、前記第１の天然素材は、少なくとも綿、麻、ジュート（黄麻）、藁、ココナッツ、バナナ、パイナップル、トウモロコシ、竹、ウール、絹、カシミア、モヘヤ、キャメル、ラマ、アンゴラのいずれか１以上を用いることができる。また、前記第２の天然素材は、寒天、ゼラチンのいずれかを用いることができる。前記第３の天然素材は、少なくとも綿、麻、ジュート（黄麻）、藁、ココナッツ、バナナ、パイナップル、トウモロコシ、竹、ウール、絹、カシミア、モヘヤ、キャメル、ラマ、アンゴラのいずれか１以上を用いることができる。
【発明の効果】
【０００８】
請求項１，６，７，８記載の発明によれば、素材に総て天然素材を用いるので、地面に埋めても自然に分解することができ、自然環境に優しいおむつを提供することができる。
【０００９】
請求項２記載の発明によれば、通過孔を閉鎖する通過孔閉鎖膜を有するので、使用前は吸液手段をおむつ本体内の空間に留めておくことができ、また、糞尿等をした際には、通過孔閉鎖膜が破れて糞尿を吸液手段側に通過させることができる。
【００１０】
請求項３記載の発明によれば、おむつ本体の糞尿を受ける部分に、凹凸部が形成されているので、皮膚との接触面積を小さくすることができ、肌がべと付かず、さらさらした感覚を保つことができる。
【００１１】
請求項４記載の発明によれば、おむつ本体の糞尿を受ける部分は、撥水加工が施されているので、糞尿を通過孔６に導き易くして、肌のべと付きを防止することもできる。
【００１２】
請求項５記載の発明によれば、吸液手段を留めておく空間に消臭剤を有するので、糞尿の臭い等を抑えることができる。
【発明を実施するための最良の形態】
【００１３】
以下に、本発明の実施の形態を図１ないし図３に基づいて詳細に説明する。
【００１４】
本発明の使い捨ておむつ１は、図１に示すように、第１の天然素材によって形成される共に、糞尿を受ける部分（後述する表面シート４）の表面に複数の通過孔６を有するおむつ本体２と、第２の天然素材によって形成されると共に、通過孔６に接続される空間に配置される吸液手段３と、で主に構成される。
【００１５】
おむつ本体２は、図２に示すように、縦方向に前胴周り域２１および後胴周り域２２と、これら胴周り域の間に位置する股下域２３とを備え、図１に示すように、不透液性の表面シート４および裏面シート５と、それらシートの間に介在する吸液手段３とで構成される。また、表面シート４と裏面シート５の間の空間は、複数の領域（図２の波線）に仕切られており、内部の吸液手段３が一部に偏らないように構成されている。また、前後の胴周り域の両端部から横方向外方へウィング部８が延出して設けられており、前後のウィング部８に形成される一対のファスナ９によって使い捨ておむつ１を着脱可能に形成されている。また、おむつ本体２に使用される第１の天然素材としては、分解し易く、最終的に土に帰るものが用いられ、例えば、綿、麻、ジュート（黄麻）の他、藁、ココナッツ、バナナ、パイナップル、トウモロコシ、竹等の植物から作られる植物繊維や、ウール、絹、カシミア、モヘヤ、キャメル、ラマ、アンゴラ等の動物繊維等がある。
【００１６】
表面シート４には、吸液手段３が配置される空間に接続される複数の通過孔６を有しており、糞尿が吸液手段３まで通過できるように形成されている。また、おむつ本体２の糞尿を受ける部分、すなわち肌が触れる部分には、図３に示すように、凹凸部８をエンボス加工等により形成しても良い。これにより、皮膚との接触面積を小さくすることができるので、肌がべと付かず、さらさらした感覚を保つことができる。また、表面シート４の表面に撥水加工を施すことにより、糞尿を通過孔６に導き易くして、肌のべと付きを更に防止することもできる。
【００１７】
また、表面シート４と吸液手段３との間には、水溶性の第３の天然素材によって形成されると共に、通過孔６を閉鎖する通過孔閉鎖膜７を形成しても良い。これにより、使用前は吸液手段３を表面シート４と裏面シート５の間の空間に留めておくことができ、また、糞尿等をした際には、通過孔閉鎖膜７が破れて糞尿を吸液手段３側に通過させることができる。第３の天然素材としては、おむつ本体２と同様に、綿、麻、ジュート（黄麻）の他、藁、ココナッツ、バナナ、パイナップル、トウモロコシ、竹等の植物から作られる植物繊維や、ウール、絹、カシミア、モヘヤ、キャメル、ラマ、アンゴラ等の動物繊維等であって、水溶性のものが用いられる。
【００１８】
吸液手段３に用いられる第２の天然素材は、糞尿を吸収できる天然素材のものであればどのようなものでも良いが、例えば、天草等からなる粉末状の寒天や、粉末状のゼラチン、メリケン粉等を用いることができる。
【００１９】
また、吸液手段３を留めておく空間内に、例えば糞尿の臭いを消す消臭剤を添加しておくことも可能である。
【００２０】
使い捨ておむつをこのように形成することにより、地面に埋めても自然に分解することができ、自然環境に優しいおむつを提供することができる。
【図面の簡単な説明】
【００２１】
【図１】本発明の使い捨ておむつを示す断面図である。
【図２】本発明の使い捨ておむつを示す平面図である。
【図３】本発明の別の使い捨ておむつを示す断面図である。
【符号の説明】
【００２２】
１  使い捨ておむつ
２  おむつ本体
３  吸液手段
６  通過孔
７  通過孔閉鎖膜
８  凹凸部
【図１】
2008154868.tif 000003
【図２】
2008154868.tif 000004
【図３】
2008154868.tif 000005